【手続補正書】
【提出日】平成20年9月2日(2008.9.2)
【手続補正１】
【補正対象書類名】明細書
【補正対象項目名】特許請求の範囲
【補正方法】変更
【補正の内容】
【特許請求の範囲】
【請求項１】
ネットワークに接続されるネットワークデバイスを管理し、ネットワーク上のクライアントからの要求に応じて前記ネットワークデバイスへの出力処理を行うと共に、ウェブサーバ機能を有するネットワークデバイス管理サーバであって、
前記クライアントからの要求に応じて、少なくとも出力先となるネットワークデバイスを選択させるためのＧＵＩ情報を、前記クライアントに送信するＧＵＩ情報送信手段と、
該ＧＵＩ情報送信手段による前記ＧＵＩ情報の送信後、クライアントから要求のあった出力対象情報、及び、選択されたネットワークデバイスを特定する情報を受信する受信手段と、
該受信手段で受信された出力対象情報を、選択されたネットワークデバイスに向けて出力する出力手段とを備えることを特徴とするネットワークデバイス管理サーバ。
【請求項２】
前記ネットワークデバイスは、ネットワークプリンタであることを特徴とする請求項１に記載のネットワークデバイス管理サーバ。
【請求項３】
前記出力対象情報は、前記クライアントが指定したファイルであることを特徴とする請求項１又は２に記載のネットワークデバイス管理サーバ。
【請求項４】
前記ファイルは、前記ネットワークデバイス管理サーバが記憶管理するフォルダに一旦保存されることを特徴とする請求項３に記載のネットワークデバイス管理サーバ。
【請求項５】
前記ファイルは、所定のイメージを表現する形式のファイルであることを特徴とする請求項３又は４に記載のネットワークデバイス管理サーバ。
【請求項６】
前記出力対象情報は、前記クライアントで動作するプリンタドライバが生成した印刷データであることを特徴とする請求項２に記載のネットワークデバイス管理サーバ。
【請求項７】
前記ＧＵＩ情報送信手段で送信するＧＵＩ情報には、更に、出力にかかる条件を設定するためのジョブチケットに関する情報を表示する情報も含まれることを特徴とする請求項１に記載のネットワークデバイス管理サーバ。
【請求項８】
前記ＧＵＩ情報送信手段で送信するＧＵＩ情報には、更に、出力にかかる条件を設定するためのジョブチケットに関する情報を表示する情報も含まれ、
前記ジョブチケットにおける条件情報には、印刷部数、記録紙サイズを含む一般設定情報と、プリンタに備えられたフィニッシャ装置における出力順に関する情報と、印刷品位に関する情報が含まれることを特徴とする請求項２に記載のネットワークデバイス管理サーバ。
【請求項９】
前記出力手段は、出力対象情報に基づき、選択されたネットワークデバイスが出力できるラスタイメージデータを生成する手段を含み、
該手段で生成されたラスタイメージデータを前記選択されたネットワークデバイスに前記ネットワークを介して出力することを特徴とする請求項１又は２に記載のネットワークデバイス管理サーバ。
【請求項１０】
ネットワークに接続されるネットワークデバイスを管理し、ネットワーク上のクライアントからの要求に応じて前記ネットワークデバイスへの出力処理を行うと共に、ウェブサーバ機能を有するネットワークデバイス管理サーバの制御方法であって、
前記クライアントからの要求に応じて、少なくとも出力先となるネットワークデバイスを選択させるためのＧＵＩ情報を、前記クライアントに送信するＧＵＩ情報送信工程と、
該ＧＵＩ情報送信工程による前記ＧＵＩ情報の送信後、クライアントから要求のあった出力対象情報、及び、選択されたネットワークデバイスを特定する情報を受信する受信工程と、
該受信工程で受信された出力対象情報を、選択されたネットワークデバイスに向けて出力する出力工程とを備えることを特徴とするネットワークデバイス管理サーバの制御方法。
【請求項１１】
コンピュータに読込ませ実行させることで、前記コンピュータを、ネットワークに接続されるネットワークデバイスを管理し、ネットワーク上のクライアントからの要求に応じて前記ネットワークデバイスへの出力処理を行うと共に、ウェブサーバ機能を有するネットワークデバイス管理サーバとして機能させるコンピュータプログラムであって、
前記コンピュータを、
前記クライアントからの要求に応じて、少なくとも出力先となるネットワークデバイスを選択させるためのＧＵＩ情報を、前記クライアントに送信するＧＵＩ情報送信手段、
該ＧＵＩ情報送信手段による前記ＧＵＩ情報の送信後、クライアントから要求のあった出力対象情報、及び、選択されたネットワークデバイスを特定する情報を受信する受信手段、
該受信手段で受信された出力対象情報を、選択されたネットワークデバイスに向けて出力する出力手段
として機能させることを特徴とするコンピュータプログラム。
【請求項１２】
請求項１１に記載のコンピュータプログラムを格納したことを特徴とする記憶媒体。
【請求項１３】
ウェブサーバとして機能すると共に、ネットワーク上のプリンタを管理し、印刷データの配信処理を行うネットワークデバイス管理サーバに対し、印刷すべき情報を送信する端末としての情報処理装置であって、
アプリケーションから印刷指示があった場合、前記ネットワークデバイス管理サーバに向けて送信すべき印刷データを生成する印刷データ生成手段と、
生成された印刷データを前記ネットワークデバイス管理サーバに送信する送信手段と、
前記ネットワークデバイス管理サーバから転送されてくる、少なくとも前記印刷データの出力先となるプリンタを指定するためのＧＵＩ設定情報を受信し、設定画面を表示させ、出力対象のプリンタを前記ネットワークデバイス管理サーバに通知する通知手段とを備えることを特徴とする情報処理装置。
【請求項１４】
ウェブサーバとして機能すると共に、ネットワーク上の複数のプリンタを管理し、印刷データを配信処理を行うネットワークデバイス管理サーバに対し、印刷すべき情報を送信する端末としての情報処理装置の制御方法であって、
アプリケーションから印刷指示があった場合、前記ネットワークデバイス管理サーバに向けて送信すべき印刷データを生成する印刷データ生成工程と、
生成された印刷データを前記ネットワークデバイス管理サーバに送信する送信工程と、
前記ネットワークデバイス管理サーバから転送されてくる、少なくとも前記印刷データの出力先となるプリンタを指定するためのＧＵＩ設定情報を受信し、設定画面を表示させ、出力対象のプリンタを前記ネットワークデバイス管理サーバに通知する通知工程とを備えることを特徴とする情報処理装置の制御方法。
【請求項１５】
コンピュータに読込ませ実行させることで、前記コンピュータを、ウェブサーバとして機能すると共に、ネットワーク上の複数のプリンタを管理し、印刷データを配信処理を行うネットワークデバイス管理サーバに対し、印刷すべき情報を送信する端末として機能させるプリンタドライバプログラムであって、
前記コンピュータを、
アプリケーションから印刷指示があった場合、前記ネットワークデバイス管理サーバに向けて送信すべき印刷データを生成する印刷データ生成手段、
生成された印刷データを前記ネットワークデバイス管理サーバに送信する送信手段、
前記ネットワークデバイス管理サーバから転送されてくる、少なくとも前記印刷データの出力先となるプリンタを指定するためのＧＵＩ設定情報を受信し、設定画面を表示させ、出力対象のプリンタを前記ネットワークデバイス管理サーバに通知する通知手段
として機能させることを特徴とするプリンタドライバプログラム。
【請求項１６】
請求項１５に記載のプリンタドライバプログラムを格納したことを特徴とするコンピュータ可読記憶媒体。
【請求項１７】
ウェブサーバとして機能すると共に、ネットワーク上の複数のプリンタを管理し、所定のファイル記憶用フォルダに格納されたデータファイルに基づく印刷データを前記プリンタに向けて配信するネットワークデバイス管理サーバに対し、印刷すべきファイルを格納する端末としての情報処理装置であって、
前記ファイル記憶用フォルダに格納すべきデータファイル及び印刷出力先を指定するためのＧＵＩ画面を表示する情報を、前記ネットワークデバイス管理サーバに要求する要求手段と、
該要求手段による要求の結果、表示されるＧＵＩ画面上で、指定されたファイル及び指定されたプリンタを識別する情報を、前記ネットワークデバイス管理サーバに通知することで、前記データファイルを前記ファイル記憶用フォルダに格納させる送信手段とを備えることを特徴とする情報処理装置。
【請求項１８】
ウェブサーバとして機能すると共に、ネットワーク上の複数のプリンタを管理し、所定のファイル記憶用フォルダに格納されたデータファイルに基づく印刷データを前記プリンタに向けて配信するネットワークデバイス管理サーバに対し、印刷すべきファイルを格納する端末としての情報処理装置の制御方法であって、
前記ファイル記憶用フォルダに格納すべきデータファイル及び印刷出力先を指定するためのＧＵＩ画面を表示する情報を、前記ネットワークデバイス管理サーバに要求する要求工程と、
該要求工程による要求の結果、表示されるＧＵＩ画面上で、指定されたファイル及び指定されたプリンタを識別する情報を、前記ネットワークデバイス管理サーバに通知することで、前記データファイルを前記ファイル記憶用フォルダに格納させる送信工程とを備えることを特徴とする情報処理装置の制御方法。
【請求項１９】
コンピュータに読込ませ実行させることで、前記コンピュータを、ウェブサーバとして機能すると共に、ネットワーク上の複数のプリンタを管理し、所定のファイル記憶用フォルダに格納されたデータファイルに基づく印刷データを前記プリンタに向けて配信するネットワークデバイス管理サーバに対し、印刷すべきファイルを格納する端末として機能させるコンピュータプログラムであって、
前記コンピュータを、
前記ファイル記憶用フォルダに格納すべきデータファイル及び印刷出力先を指定するためのＧＵＩ画面を表示する情報を、前記ネットワークデバイス管理サーバに要求する要求手段、
該要求手段による要求の結果、表示されるＧＵＩ画面上で、指定されたファイル及び指定されたプリンタを識別する情報を、前記ネットワークデバイス管理サーバに通知することで、前記データファイルを前記ファイル記憶用フォルダに格納させる送信手段
として機能させることを特徴とするコンピュータプログラム。
【請求項２０】
請求項１９に記載のコンピュータプログラムを格納したことを特徴とする記憶媒体。
【請求項２１】
ウェブサーバとして機能すると共に、ネットワーク上のプリンタを管理し、印刷データの配信処理を行うネットワークデバイス管理サーバに対し、印刷すべき情報を送信する端末としての情報処理装置であって、
プリンタドライバの出力先のポートとして前記ネットワークデバイス管理サーバを特定可能なＵＲＬで指定する指定手段と、
アプリケーションから印刷指示があった場合、前記ネットワークデバイス管理サーバに向けて送信すべき印刷データを生成する印刷データ生成手段と、
生成された印刷データを、前記指定されるＵＲＬで特定される前記ネットワークデバイス管理サーバに対して、アプリケーション層のファイル転送プロトコルで送信する送信手段と、
を備えることを特徴とする情報処理装置。
【請求項２２】
アプリケーションから印刷要求がなされることに応じて、前記指定されるＵＲＬで特定される前記ネットワークデバイス管理サーバにアクセスすべくブラウザの起動を要求する要求手段を更に有することを特徴とする請求項２１に記載の情報処理装置。
【請求項２３】
ウェブサーバとして機能すると共に、ネットワーク上のプリンタを管理し、印刷データの配信処理を行うネットワークデバイス管理サーバに対し、印刷すべき情報を送信する端末としての情報処理装置の制御方法であって、
プリンタドライバの出力先のポートとして前記ネットワークデバイス管理サーバを特定可能なＵＲＬで指定する指定工程と、
アプリケーションから印刷指示があった場合、前記ネットワークデバイス管理サーバに向けて送信すべき印刷データを生成する印刷データ生成工程と、
生成された印刷データを、前記指定されるＵＲＬで特定される前記ネットワークデバイス管理サーバに対して、アプリケーション層のファイル転送プロトコルで送信する送信工程と、
を備えることを特徴とする情報処理装置の制御方法。
【請求項２４】
アプリケーションから印刷要求がなされることに応じて、前記指定されるＵＲＬで特定される前記ネットワークデバイス管理サーバにアクセスすべくブラウザの起動を要求する要求工程を更に有することを特徴とする請求項２３に記載の情報処理装置の制御方法。
【請求項２５】
コンピュータに読込ませ実行させることで、前記コンピュータを、ウェブサーバとして機能すると共に、ネットワーク上のプリンタを管理し、印刷データの配信処理を行うネットワークデバイス管理サーバに対し、印刷すべき情報を送信する端末として機能させるコンピュータプログラムであって、
前記コンピュータを、
プリンタドライバの出力先のポートとして前記ネットワークデバイス管理サーバを特定可能なＵＲＬで指定する指定手段、
アプリケーションから印刷指示があった場合、前記ネットワークデバイス管理サーバに向けて送信すべき印刷データを生成する印刷データ生成手段、
生成された印刷データを、前記指定されるＵＲＬで特定される前記ネットワークデバイス管理サーバに対して、アプリケーション層のファイル転送プロトコルで送信する送信手段
として機能させることを特徴とするコンピュータプログラム。
【請求項２６】
アプリケーションから印刷要求がなされることに応じて、前記指定されるＵＲＬで特定される前記ネットワークデバイス管理サーバにアクセスすべくブラウザの起動を要求する要求手段を更に有することを特徴とする請求項２５に記載のコンピュータプログラム。
【請求項２７】
請求項２５に記載のコンピュータプログラムを格納したことを特徴とするコンピュータ読み取り可能な記憶媒体。
【請求項２８】
アプリケーションから印刷要求がなされることに応じて、前記指定されるＵＲＬで特定される前記ネットワークデバイス管理サーバにアクセスすべくブラウザの起動を要求する要求手段として機能させるプログラムを更に格納することを特徴とする請求項２７に記載のコンピュータ読み取り可能な記憶媒体。
【手続補正２】
【補正対象書類名】明細書
【補正対象項目名】００１１
【補正方法】変更
【補正の内容】
【００１１】
この課題を解決するため、例えば本発明のネットワークデバイス管理サーバは以下の構成を備える。すなわち、
ネットワークに接続されるネットワークデバイスを管理し、ネットワーク上のクライアントからの要求に応じて前記ネットワークデバイスへの出力処理を行うと共に、ウェブサーバ機能を有するネットワークデバイス管理サーバであって、
前記クライアントからの要求に応じて、少なくとも出力先となるネットワークデバイスを選択させるためのＧＵＩ情報を、前記クライアントに送信するＧＵＩ情報送信手段と、
該ＧＵＩ情報送信手段による前記ＧＵＩ情報の送信後、クライアントから要求のあった出力対象情報、及び、選択されたネットワークデバイスを特定する情報を受信する受信手段と、
該受信手段で受信された出力対象情報を、選択されたネットワークデバイスに向けて出力する出力手段とを備える。